(57)【特許請求の範囲】
【請求項１】
室外の空気を吸込み、室内へ給気する給気送風機を、室内外を連絡する風洞に設けた本体と、この本体の室内側に装着され、前記風洞の室内側開口部を被覆するとともに、室内へ吹出す吹出口を有する化粧パネルとを備えた換気装置の前記化粧パネルの前記吹出口を除く外側を着脱可能に被覆できるキャップ構造を構成し、前記化粧パネルとの間に断熱空気層が形成されるようにした換気装置用の室内カバー。
【請求項２】
請求項１に記載の換気装置用の室内カバーであって、キャップ構造を発泡樹脂により構成した換気装置用の室内カバー。
【請求項３】
請求項２に記載の換気装置用の室内カバーであって、キャップ構造をポリプロピレンの成形物で構成した換気装置用の室内カバー。
【請求項４】
請求項１〜請求項３までのいずれかに記載の換気装置用の室内カバーであって、キャップ構造に、換気装置の前記化粧パネルに弾力を作用して当接する弾性部材を設けた換気装置用の室内カバー。
【請求項５】
請求項１〜請求項４までのいずれかに記載の換気装置用の室内カバーであって、キャップ構造に前記化粧パネルの吹出口に対応する吹出口を開口させるとともに、このキャップ構造の吹出口を室内側に向って開口面積が漸減する形状にし、内側からの開閉蓋の着脱によって閉開できるようにした換気装置用の室内カバー。
【請求項６】
請求項５に記載の換気装置用の室内カバーであって、キャップ構造にその吹出口に略対応する形状の凹部を形成し、この凹部に前記開閉蓋を収納できるようにした換気装置用の室内カバー。
【請求項７】
請求項１〜請求項６までのいずれかに記載の換気装置用の室内カバーであって、キャップ構造の室内への気流の吹出し経路中にエアーフィルターを設けた換気装置用の室内カバー。
【発明の詳細な説明】
【０００１】
【発明の属する技術分野】
本発明は、室外の空気を室内へ供給して室内の換気を図る給気を目的とした換気装置に装着してその機能を補完する換気装置用の室内カバーに関するものである。
【０００２】
【従来の技術】
給気を目的とした換気装置の多くは、これまで図１０に示すような基本構成が採られている。即ち、室外の空気を吸込み、室内へ給気する給気送風機７を、室内外を連絡する風洞４に設けた本体８と、本体８の室内側に装着され、風洞４の室内側開口部を被覆し、吸込んだ室外の空気を室内へ吹出す吹出口１４を有する化粧パネル１２Aで構成されている。本体８は、建物の壁構造や天井構造に設けた取付孔３に嵌め装着され、取付孔３又は取付孔３に連絡するダクトを通じて室外の空気を室内へ給気する。化粧パネル１２Aは、室内への給気方向を変えたり、室内側意匠を構成する通風部品で、本体８に着脱可能に構成されている。
【０００３】
吹出口１４は、正面に設けられているものもあるが、図示のものでは化粧パネル１２Aの側面に設けられていて、居者に直接外気が当たらないようになっている。この種の換気装置でしばしば問題となるのが化粧パネル１２A表面での結露の発生である。冬季など吸込んだ冷たい外気と、室内の温かい空気と接触する化粧パネル１２Aには、その室内側に結露が発生する。そのため化粧パネル１２Aの背面に断熱材を貼着したり、特開平７―２３３９８４号公報に示されているように、本体枠の室内に臨む外周部をジャケット構造にして断熱空気層を形成したりして対応している。
【０００４】
【発明が解決しようとする課題】
上記した従来の換気装置においては、外気温度が室内温度より極端に低い場合には、有効な断熱が果しきれず化粧パネル１２Aの室内側に結露が発生し、運転を続けることでやがて表面の結露が成長し、水滴となって壁面を濡らしたり、滴下して床を濡らすといった問題点がある。
【０００５】
冬季においては日常的に外気温度が低い寒冷地では、こうした結露の発生という問題性は大変大きなものである。十分な結露防止機能を得るためには、断熱材を厚くしたり、断熱空気層を二重にしたりして断熱性能を上げることであるが、装置の室内側の構成が大型化し、コストの高騰を招くうえ、意匠性も大きく損なわれたりするため有効な対策とはならない。また、冬季でも外気温度がそれ程低くならない温暖な地域では、寒冷地と同様な断熱性能の必要性はなく、結露についての問題性はさほど高いものではない。
【０００６】
本発明は、係る従来の問題点を解決するためになされたものであって、その課題とするところは、手軽に給気を目的とした換気装置の結露耐力を高めることができる換気装置用の室内カバーを得ることであり、簡単に換気装置の機能を補完できる換気装置用の安価な室内カバーを得ることであり、その室内カバーの機能を充実させることである。
【０００７】
【課題を解決するための手段】
前記課題を達成するために請求項１の発明は、室外の空気を吸込み、室内へ給気する給気送風機を、室内外を連絡する風洞に設けた本体と、この本体の室内側に装着され、風洞の室内側開口部を被覆するとともに、室内へ吹出す吹出口を有する化粧パネルとを備えた換気装置の化粧パネルの吹出口を除く外側を着脱可能に被覆できるキャップ構造を構成し、化粧パネルとの間に断熱空気層が形成されるようにする手段を採用する。
【００１９】
【発明の実施の形態】
実施の形態１．
図１〜図４によって示す本実施の形態は、図１に示すように建物の壁構造や天井構造等の仕切構造１に設けたパイプ２やダクトで構成された室内外を連絡する取付孔３に嵌め装着され、外気の室内への給気によって換気を行う換気装置の室内側に装着する室内カバーに関するものである。適用対象となる換気装置は、樹脂で作られた直管状の風洞４に、羽根車５と電動機６よりなる給気送風機７を組付けた本体８と、本体８の室内側を被覆するように装着される化粧パネル１２とから構成されている。風洞４は、室内側端に吹出し側となる開口部９を有し、この開口部９の口縁部には半径方向に張出すフランジ１０と、内方へ突出する複数本の取付脚１１が一体に設けられている。風洞４のフランジ１０は、自由端側が後方に向って延出する縁枠部をなし、本体８の室内側前面部を構成する。
【００２０】
給気送風機７の電動機６は、風洞４内の室外側へ向って回転軸が突入するように取付脚１１に固定され、その回転軸に風洞４内での回転を可能に羽根車５が装着されている。この羽根車５の回転により風洞４内に室外側から室内側の開口部９へ向う給気流が形成される。
【００２１】
化粧パネル１２は、樹脂により角形カップ状に形成され、その下面を除く上面と両側面とには風洞４に対して略半径方向に風洞４からの給気流の方向を変えて室内へ吹出す、それぞれ吹出し方向の異なる吹出口１４が形成されている（図２参照）。各吹出口１４にはこれらをそれぞれ開閉できるスライド式の開閉部材１５が摺動可能に組付けられている（図１参照）。化粧パネル１２の周側部にはその内側に掛止構造が設けられていて、風洞４のフランジ１０の縁枠部に形成され係合構造に係合させることによって風洞４の前面を被覆する状態に係脱可能に取付けられる。化粧パネル１２の風洞４における室内側の開口部９に向い合う内面にはクッション材よりなる断熱材１６が貼設されている。そして、電動機６の外殻を囲むように着脱可能に筒状のエアーフィルター１７が装着されている。
【００２２】
この換気装置は、取付孔３に装着した本体８に化粧パネル１２を室内側から装着し、給気送風機７を運転させることによって、当該室内に外気を導入する給気による換気機能を果し、給気用の換気装置として完結した機能を果たす。冬季等で風洞４から吹出される外気の外気温度が室内温度より多少低くても、温暖な地域では化粧パネル１２の室内側の前面は、内面に貼設された断熱材１６の断熱機能により室内温度近くに維持され、結露が発生することは殆どない。しかしながら、寒冷地や厳冬季等、外気温度が大変低い場合には断熱材１６による断熱効果は薄く、風洞４から吹出される冷たい外気により化粧パネル１２が冷却され、暖かい室内空気が接触することにより、室内側の表面に結露が発生することになる。
【００２３】
本実施の形態の室内カバーは、上述のような結露が発生する状況下において図１に示すように化粧パネル１２に嵌め装着してその断熱機能を補完するものであり、化粧パネル１２と略相似形状の樹脂による一体成形物として角形のキャップ構造１３に構成されている。キャップ構造１３の四箇所の入隅部には、換気装置の化粧パネル１２に弾力を作用して当接する弾性部材２３が取付けられ、この弾性部材２３の弾力によって化粧パネル１２への装着状態が安定に保たれる。キャップ構造１３自体に弾力を付与できれば、化粧パネル１２との嵌合い寸法の設定によって弾性部材２３なしに装着状態の安定性を得ることもできる。この室内カバーにもキャップ構造１３の周側面に化粧パネル１２の各吹出口１４に略整合する吹出口１８が形成されていて、室内カバーを装着した状態では室内カバーの吹出口１８が外気を室内へ給気する実質的な吹出し口になる。
【００２４】
室内カバーを、化粧パネル１２を被覆するように室内側から嵌め装着することにより、換気装置における風洞４の室内側の開口部９と室内とは熱的には二重の障壁により隔てられることになり、さらに、二重の障壁の間には空気層が出来ることになる。この空気層は殆ど流動しないため断熱空気層１９として二重の障壁とともに確りした断熱機能を果し、換気装置の断熱機能を補完する。
【００２５】
即ち、寒冷地や厳冬季等の使用環境にあっては、室内カバーを化粧パネル１２の外側に嵌め被着させることによって換気装置の断熱性が増し、結露耐力が向上し室内側の面での結露の発生を防止することができる。また、室内カバーの装着により、換気装置の室内側意匠も変わることになるので、例えば、化粧パネル１２を寒色系の色調にし、室内カバーを暖色系の色調にすることにより、季節に応じた室内雰囲気を作ることも可能である。さらに、意匠的見地に立てば、色調のみならず化粧パネル１２の前面構成と室内カバーの前面構成を異なるものとすることもできる。このように、換気装置の室内側部分を必要に応じて別部材の重ね合わせで二重の構造とすることは、フレームに一体に断熱空気層を形成するジャケット構造を構成したり、断熱材を極めて厚くする対策を採るより低コストで実現でき、結露防止に有効な断熱性を簡単に得ることができるうえ、使用環境に応じて対応できる利便性も備わり、換気装置の機能を補完する室内カバーの実用性は高い。
【００２６】
図３に示すように、室内カバーにその吹出口１８と化粧パネル１２の吹出口１４とを連絡する吹出ガイド部２０を設けることにより、化粧パネル１２と室内カバーとの間隔を大きく採ることができ、断熱空気層１９の層幅を大きくして断熱性をより高くすることも可能である。
【００２７】
また、本実施の形態の室内カバーには、換気装置への装着によって室内への二重の障壁とその間の空気層による断熱機能とともに給気送風機７の運転音の室内への伝播も減衰させる遮音機能も備わる。従って、結露防止としてではなく、医療施設等、静粛性を要求されるような室内の換気にもこの室内カバーの装着によって応じることができる。この場合、図４に示すように室内カバーにスポンジ材等の断熱材１６を内貼りにすることにより、断熱と遮音の機能をより向上させることができるうえ、断熱材１６の厚さの調整により結露耐力を容易に調整することができる。
【００２８】
実施の形態２．
図５〜図８に示す本実施の形態は、実施の形態１で示した室内カバーに断熱性の向上を図る工夫を講じたもので、これに係る構成以外は実施の形態１のものと同じである。従って、実施の形態１のものと同じ部分については実施の形態１のものと同じ符号を用い、それらについての説明は省略する。
【００２９】
本実施の形態の室内カバーは、断熱性及び吸音性のある発泡樹脂の一体成形物として図５に示すように構成されている。発泡樹脂としては、スチロール系樹脂やポリプロピレン系の樹脂が採用されている。表面については外観性や意匠性を持たせるため、成形時の発泡倍率が抑えられ平滑面となっている。化粧パネル１２の吹出口１４に対応する室内カバーの各吹出口１８は、室内側に向って開口面積が漸減する矩形で、しかも室内への吹出し方向が取付場所の建物構造の室内側面から遠ざかる方向の通風経路として形成されている（図６，図７参照）。この各吹出口１８は、図７及び図８に示すように同一材料又は異種材料で構成された脱着可能な開閉蓋２１で開閉可能になっている。また、開閉蓋２１の形状と略同じ形状に形成されたエアーフィルター部材２２も備えられ、開閉蓋２１かエアーフィルター部材２２のいずれかを吹出口１８に装着することができる。
【００３０】
室内カバーにこうした構成を採用することにより、室内カバーを化粧パネル１２に装着したときの換気装置の結露耐力及び静粛性を低コストで向上させることができる。化粧パネル１２に設けたスライド式の開閉部材１５は、いずれかの吹出口１４が壁面に近接するような取付状態になった場合に、当該吹出口１４を閉止して壁面への吹付けを防ぐものであるため、室内カバーを常設するのであれば吹出口１８に開閉蓋２１を備えていれば、開閉部材１５のない換気装置の吹出方向の選択機能を補完できる。そして、開閉部材１５の装着により当該吹出口１８の断熱が図られるため、結露防止にも機能する。
【００３１】
また、エアーフィルター１７を備えていない換気装置についても、吹出口１８にエアーフィルター部材２２を備えた室内カバーを常設することにより塵埃濾過機能を補完することができ、エアーフィルター１７を備えている換気装置に対しては、室内に導入する外気の清浄度を高めることになる。開閉部材１５よりも開閉蓋２１の方が簡素な構成で済み、エアーフィルター１７よりもエアーフィルター部材２２の方が簡素な構成で済むため、換気装置側での対応より低コストで実現できる。ポリプロピレンによる室内カバーは、リサイクル性があるうえ、発泡倍率の選択により必要とする弾力性も平面性も容易に得ることができるので機能的なものとなる。発泡樹脂の一体成形物で構成した室内カバーは、換気装置の包装時に化粧パネル１２に嵌め装着しておくことにより、化粧パネル１２を緩衝保護する包装材としての緩衝機能を果す。従って、換気装置の包装部品としても適用でき、開梱後には廃棄物とならない機能性のある部品とすることもできる。
【００３２】
開閉蓋２１もエアーフィルター部材２２も、図６に示すように吹出口１８が室内側に向って開口面積が漸減する形状であるため、内側からの差込みによって室内側へ離脱し難い状態に装着することができ、離脱も内側からの引き抜きによって簡単に行うことができる。そして、吹出口１８が、室内への吹出し方向が取付場所の建物構造の室内側面から遠ざかる方向の通風経路として形成されているので冷たい外気が暖かい壁面に当たり、壁面を結露させるようなことも回避でき、さらに室内への吹出し風速が速くなることから吹出し部分での気流の巻込みも回避できる。これ以外の機能は実施の形態１のものと同じである。
【００３３】
実施の形態３．
図９に示す本実施の形態は、実施の形態２で示した室内カバーに利便性を備えさせるための工夫を講じたもので、これに係る構成以外は実施の形態１のものと同じである。従って、実施の形態１のものと同じ部分については実施の形態１のものと同じ符号を用い、それらについての説明は省略する。
【００３４】
本実施の形態の室内カバーには、キャップ構造１３の正面部分にその肉厚を利用して吹出口１８に略対応する形状の凹部２４が形成されている。この凹部２４には使用しない開閉蓋２１及びエアーフィルター部材２２を収納しておくことができる。この構成により、室内カバーを使わない時には、開閉蓋２１及びエアーフィルター部材２２を凹部２４に収めて散逸しないようにまとまり良く保管しておくことができ、室内カバーに利便性が備わる。これ以外の機能は実施の形態２のものと同じである。
【００３５】
【発明の効果】
請求項1の発明によれば、給気を目的とした換気装置の結露耐力を季節や地域特性に応じて手軽に高めることができ、換気装置の機能を補完することができる。
【００３６】
請求項２の発明によれば、請求項１に係る前記効果とともに構成の簡素化と結露耐力の向上を推進できる。
【００３７】
請求項３の発明によれば、請求項１又は請求項２のいずれかに係る前記効果とともに低コストで結露耐力の向上を図ることができる。
【００３８】
請求項４の発明によれば、請求項１又は請求項３のいずれかに係る前記効果とともに換気装置に静粛性を簡単に付与することができ、換気装置の機能を充実させることができる。
【００３９】
請求項５の発明によれば、請求項１又は請求項３のいずれかに係る前記効果とともに結露耐力の調整が可能になる。
【００４０】
請求項６の発明によれば、請求項１〜請求項５までのいずれかに係る前記効果とともに安価な室内カバーが得られる。
【００４１】
請求項７の発明によれば、請求項１〜請求項６までのいずれかに係る前記効果とともにリサイクル性を備えさせることができ、意匠性も得やすくなる。
【００４２】
請求項８の発明によれば、請求項１〜請求項７までのいずれかに係る前記効果とともに包装廃棄物の減少を推し進めることができる。
【００４３】
請求項９の発明によれば、請求項１〜請求項８までのいずれかに係る前記効果とともに換気装置への装着状態が安定する。
【００４４】
請求項１０の発明によれば、請求項１〜請求項９までのいずれかに係る前記効果とともに利便性が向上する。
【００４５】
請求項１１の発明によれば、請求項１０に係る前記効果とともにまとまりよく保管することができるようになる。
【００４６】
請求項１２の発明によれば、請求項１〜請求項１１までのいずれかに係る前記効果とともに換気装置のエアーフィルターに係る構成を簡素化できる。
【図面の簡単な説明】
【図１】  実施の形態１の換気装置用の室内カバーを取付状態で示す縦断側面図である。
【図２】  実施の形態１の室内カバーを示す斜視図である。
【図３】  実施の形態１の他の室内カバーを取付状態で示す縦断側面図である。
【図４】  実施の形態１のさらに他の室内カバーを取付状態で示す縦断側面図である。
【図５】  実施の形態２の室内カバーの斜視図である。
【図６】  実施の形態２の室内カバーの吹出口の構成を示す拡大断面図である。
【図７】  実施の形態２の室内カバーの分解斜視図である。
【図８】  実施の形態２の室内カバー吹出口と開閉蓋の関係を示す拡大斜視図である。
【図９】  実施の形態３の室内カバーを示す分解斜視図である。
【図１０】  従来の換気装置を取付状態で示す縦断側面図である。
【符号の説明】
１  仕切構造、  ３  取付孔、  ４  風洞、  ７  給気送風機、  ８  本体、９  開口部、  １２  化粧パネル、  １３  キャップ構造、  １４  吹出口、１６  断熱材、  １８  吹出口、  １９  断熱空気層、  ２０  吹出ガイド部、  ２１  開閉蓋、  ２２  エアーフィルター部材、  ２３  弾性部材、  ２４凹部。
【図１】
0004421794.tif 000002
【図２】
0004421794.tif 000003
【図３】
0004421794.tif 000004
【図４】
0004421794.tif 000005
【図５】
0004421794.tif 000006
【図６】
0004421794.tif 000007
【図７】
0004421794.tif 000008
【図８】
0004421794.tif 000009
【図９】
0004421794.tif 000010
【図１０】
0004421794.tif 000011